(57)【要約】【課題】  車両運転中（走行中）に携帯電話機本体側でＴＶ視聴を制御することができるＴＶ受信機能付き携帯電話機及びそれのＴＶ視聴制御方法を提供する。【解決手段】  携帯電話機１００の本体に設けられ携帯電話機１００の移動速度を検出する移動速度検出手段（１０６ａ、１０６）と、移動速度検出手段（１０６ａ、１０６）の検出した移動速度が低速と高速との速度閾値を超えるとＴＶ映像の表示のみを停止する制御手段１０６とを備えたことにより、車両運転中（走行中）に携帯電話機本体１００側でＴＶ視聴を制御することができる。【選択図】  図１
2005094136.tif 000002
【特許請求の範囲】
【請求項１】
ＴＶ受信機能付き携帯電話機において、
該携帯電話機単体で該携帯電話機の移動速度を検出する移動速度検出手段と、
該移動速度検出手段の検出した移動速度が低速と高速との速度閾値を超えるとＴＶ映像の表示のみを停止する制御手段と、
を備えたことを特徴とするＴＶ受信機能付き携帯電話機。
【請求項２】
前記制御手段は、前記速度閾値とは別にＴＶ視聴制限用の判定閾値を有し、該判定閾値を可変としたことを特徴とする請求項１記載のＴＶ受信機能付き携帯電話機。
【請求項３】
前記制御手段は、前記移動速度検出手段の検出した移動速度が前記速度閾値を超えるとＴＶ映像の表示の停止と共に音声の発生を停止するようにしたことを特徴とする請求項１または２記載のＴＶ受信機能付き携帯電話機。
【請求項４】
ＴＶ受信機能付き携帯電話機の視聴制御方法において、
該携帯電話機の移動速度を該携帯電話機単体で検出し、
該移動速度が低速と高速との速度閾値を超えるとＴＶ映像の表示のみを停止する、
ことを特徴とするＴＶ受信機能付き携帯電話機のＴＶ視聴制御方法。
【請求項５】
前記速度閾値とは別にＴＶ視聴制限用の判定閾値を有し、該判定閾値が可変であることを特徴とする請求項４記載のＴＶ受信機能付き携帯電話機のＴＶ視聴制御方法。
【請求項６】
前記移動速度が前記速度閾値を超えるとＴＶ映像の表示の停止と共に音声の発生を停止することを特徴とする請求項４または５記載のＴＶ受信機能付き携帯電話機のＴＶ視聴制御方法。
【発明の詳細な説明】
【技術分野】
【０００１】
本発明は、テレビジョン放送（以下、「ＴＶ放送」と略）受信機能を有した携帯電話機に関して、ＴＶ受信機能付き携帯電話機及び車両運転中におけるＴＶ視聴の制御方法を提供するものである。
【背景技術】
【０００２】
近年、携帯電話機には様々な機能が付加されており、ＴＶ受信が可能な携帯電話機も考案されている。携帯電話機にＴＶ受信機能を追加した場合、様々な場所でＴＶ視聴が可能になり有用であると考えられるが、車両運転中、主に走行中における運転者のＴＶ視聴（注視）は非常に問題である。
一方、普及が著しいカーナビゲーションシステムにもＴＶ機能を備えているものが多いが、カーナビゲーションシステムに付属するＴＶでは、車両の機構（サイドブレーキなど）と連動させて運転中のＴＶ視聴を制限している場合が多い。これらの視聴制限方法は、停車中にはＴＶ放送を映像と音声とで伝えるが、運転中には音声のみで伝えるようにするものがほとんどである
【０００３】
また、携帯電話機には受信信号強度の時間的変動などから自身の移動速度を判別する機能（以下、移動速度検出機能と称す）を有しているものが多い。この移動速度判別はフェージングピッチを利用するものである。フェージングピッチとは、受信電界レベルの変動の間隔であり、携帯電話機の移動中は基地局から受ける電波の電界のレベルが変動する。この変動のピッチから携帯電話機の移動速度を算出することができる（例えば、特許文献１参照。）。
さらに、車両運転中における音声着信に対して、運転中である旨を発信者に伝えるなどの動作を行なうための待ち受け設定（以下、『ドライブモード』と呼称）を持つ携帯電話機も多い（例えば、特許文献２参照。）。
【特許文献１】特許第２７５６４７９号明細書
【特許文献２】特開２００３−６９６６４号公報
【発明の開示】
【発明が解決しようとする課題】
【０００４】
ところで、道路交通法上の観点から考えると、ＴＶ受信機能付き携帯電話機でも運転中におけるＴＶ視聴時に、停車中は映像と音声で、走行中は音声のみとする制御を行なうことが好ましいと考えられる。
しかしながら、携帯電話機と車両の機構とを連動させることは容易ではなく、カーナビゲーションシステムと同様の方法で視聴制御を行なうのは非常に困難である。
そこで、本発明の目的は、車両運転中（走行中）に携帯電話機本体側でＴＶ視聴を制御することができるＴＶ受信機能付き携帯電話機及びそれのＴＶ視聴制御方法を提供することにある。
【課題を解決するための手段】
【０００５】
請求項１に記載の発明は、ＴＶ受信機能付き携帯電話機において、該携帯電話機単体で該携帯電話機の移動速度を検出する移動速度検出手段と、該移動速度検出手段の検出した移動速度が低速と高速との速度閾値を超えるとＴＶ映像の表示のみを停止する制御手段と、を備えたことを特徴とする。
【０００６】
請求項２に記載の発明は、請求項１記載の発明において、前記制御手段は、前記速度閾値とは別にＴＶ視聴制限用の判定閾値を有し、該判定閾値を可変としたことを特徴とする。
【０００７】
請求項３に記載の発明は、請求項１または２記載の発明において、前記制御手段は、前記移動速度検出手段の検出した移動速度が前記速度閾値を超えるとＴＶ映像の表示の停止と共に音声の発生を停止するようにしたことを特徴とする。
【０００８】
請求項４記載の発明は、ＴＶ受信機能付き携帯電話機のＴＶ視聴制御方法において、該携帯電話機の移動速度を該携帯電話機単体で検出し、該移動速度が低速と高速との速度閾値を超えるとＴＶ映像の表示のみを停止する、ことを特徴とする。
【０００９】
請求項５記載の発明は、請求項４記載の発明において、前記速度閾値とは別にＴＶ視聴制限用の判定閾値を有し、該判定閾値が可変であることを特徴とする。
【００１０】
請求項６記載の発明は、請求項４または５記載の発明において、前記移動速度が前記速度閾値を超えるとＴＶ映像の表示の停止と共に音声の発生を停止することを特徴とする。
【００１１】
ここで、本発明に係るＴＶ受信機能付き携帯電話機は、携帯電話機の移動速度判定を利用することで車両運転中（走行中）におけるＴＶ視聴時には、ＴＶ映像を表示しない機能を有することを特徴とする。
【００１２】
本発明に係るＴＶ受信機能付き携帯電話機では、ユーザによってドライブモードが選択された状態で、移動速度検出機能で高速移動中であると判定すると、携帯電話機はユーザが現在運転中（走行中）であると判断をする。このとき、ＴＶ視聴中であった場合には、映像をＯＦＦして音声のみの放送に切り替え、走行中におけるＴＶ視聴を制限する。また、ＴＶ視聴を開始しようとした場合にも同様にして、ＴＶ映像を表示しないで音声のみのＴＶ放送とする。この発明により、ＴＶ受信機能付き携帯電話機において、携帯電話機側でユーザが運転中であることを認識し、走行中におけるＴＶ視聴を音声のみに制限することで、車両運転時の運転者が運転に専念することができる。
【００１３】
ところで、平成１１年１１月１日施行の道路交通法第７１条第１項第５号の５関係によれば、走行中、車載の画像表示装置（カーナビゲーションシステム、カーテレビジョン、携帯電話機の液晶画面表示等）に表示された画像を「注視」しないこととされている。この「注視」とはカーナビゲーションシステム等の画面を見続ける行為をいい、一瞬見る程度の通常の使用行為は違反行為とはならないとされている。
従って、本明細書では車両運転中のＴＶ等の画面を「見る」とは「一瞬見る」こととする。
【発明の効果】
【００１４】
本発明によれば、携帯電話機側でユーザが運転中であることを認識し、走行中におけるＴＶ視聴を音声のみに制限するので、車両運転中（走行中）に携帯電話機本体側でＴＶ視聴を制御することができるＴＶ受信機能付き携帯電話機及びそれのＴＶ視聴制御方法の提供を実現することができる。
【発明を実施するための最良の形態】
【００１５】
図１に本発明のＴＶ受信機能付き携帯電話機のＴＶ視聴制御方法を適用したＴＶ受信機能付き携帯電話機の一実施の形態を示すブロック図を示す。
同図に示すＴＶ受信機能付き携帯電話機１００は、携帯電話通信用無線信号を送受信するための携帯電話用ＡＮＴ部１０１と、携帯電話無線部１０２と、ＴＶ放送受信を行なうためのＴＶ用ＡＮＴ部１０３と、ＴＶ信号の受信回路を備え信号の復調を行なうＴＶチューナー部１０４と、携帯電話機能及びＴＶ機能兼用のＬＣＤ表示部１０５と、携帯電話機の動作を制御する制御部１０６と、ユーザインターフェイス部１０７と、音声出力部１０８とで構成される。
【００１６】
制御部１０６は少なくとも、携帯電話機１００の移動速度が低速（徐行速度：車両がすぐ停止できるような速度、例えば１０ｋｍ／ｈ）か、あるいは高速の判定を行なう移動速度検出機能と、ＴＶチューナのＯＮ／ＯＦＦ制御を行なう機能１０６ｂと、ＬＣＤ（Liquid Crystal Display）の表示制御及び音声出力制御を行なう機能１０６ｃとを備える。移動速度検出機能は、速度検出（低速／高速検出）機能１０６ａと制御部１０６の機能の一部とで構成される。
携帯電話機１００の移動速度の検出には前述したフェージングピッチを利用することにより行われる。
【００１７】
移動速度検出機能（１０６ａ、１０６）による低速／高速の判定は、例えば、次のような動作で行われる。
携帯電話通信用無線信号を携帯電話用ＡＮＴ部１０１で受信して、携帯電話無線部１０２を通し、制御部１０６に無線信号の受信信号強度を知らせる。この受信信号強度の時間的変化の具合がある一定値以上であった場合に携帯電話機１００が高速移動中であると判断する。その時間的変化の具合が一定値未満である場合には、低速移動中であると判断する。
【００１８】
本発明に係るＴＶ受信機能付き携帯電話機１００は、ユーザインターフェイス部１０７によって『テレビ視聴モード』が選択されたとき、制御部１０６はＴＶチューナ１０４を起動してＴＶ放送受信開始する。
また、ユーザインターフェイス部１０７によって『ドライブモード』が選択されると、携帯電話機１００はドライブモードに移行する。
【００１９】
さらにドライブモード実行中におけるＴＶ視聴時に、制御部１０６の移動速度検出機能（１０６ａ、１０６）によって高速移動中であることが検出された場合、制御部１０６はＴＶ映像表示を停止させ、ＬＣＤ表示部１０５にはＴＶ映像は表示されなくなり、音声出力部１０８からの音声出力のみとなる。このとき、テレビ視聴モードとドライブモードとのどちらを先に起動しているかどうかは問わない。
（実施の形態の動作の説明）
図２は、図１に示したＴＶ受信機能付き携帯電話機のＴＶ視聴開始から終了までの動作を示すフローチャートである。
【００２０】
図２のフローチャートを参照して本実施例のＴＶ視聴開始から終了までの動作について説明する。
まず、ユーザによってＴＶ視聴モードが選択されたとき、制御部１０６はＴＶチューナ１０４を起動してＴＶ受信を開始する（図２のステップ２０１）。
続いて制御部１０６は、現在ドライブモードがＯＮかＯＦＦかの判定を行なう（ステップ２０２）。
ここで、ドライブモードがＯＦＦの場合は、通常通り映像及び音声でのＴＶ視聴モードとなる。
【００２１】
また、ドライブモードがＯＮの場合は（ステップ２０２の分岐で『ＯＮ』）、移動速度検出機能（１０６ａ、１０６）の高速／低速検出結果を判断し（ステップ２０３）する。低速移動の場合には（ステップ２０３の分岐で『低速』）、通常通りのＴＶ視聴（映像、音声ともＯＮ）となり（ステップ２０４）、高速移動の場合には（ステップ２０３の分岐で『高速』）、映像をＯＦＦして音声出力のみとなる（ステップ２０５）。
その後、ＴＶ視聴が継続される場合は（ステップ２０６の分岐で『ＹＥＳ』）、ドライブモードのＯＮ／ＯＦＦの検出に戻る（ステップ２０２の前）。
ＴＶ視聴を終わる場合は（ステップ２０６の分岐で『ＮＯ』）、制御部１０６はＴＶチューナ１０４をＯＦＦして、ＴＶ視聴モードを終了する（ステップ２０７）。
【００２２】
（実施例の拡張）
本発明の実施の形態の拡張として、以下の点が挙げられる。
ドライブモードの選択に関わらず、ＴＶ視聴中において高速移動であることを検出した場合には、常に映像を表示しないこととする設定を設けること。
携帯電話機１００の移動速度検出機能（１０６ａ、１０６）の高速／低速の閾値とは別に、ＴＶ視聴制限用の判定閾値を設定すること。また、これはユーザが任意に設定可能にしてもよい。
ＴＶ視聴時において携帯電話機１００の移動速度検出機能（１０６ａ、１０６）が高速移動中を検出した場合に、映像だけでなく音声もＯＦＦにする設定を設けてもよい。
【００２３】
（他の実施の形態）
図３に本発明に係るＴＶ受信機能付き携帯電話機の他の実施の形態を示すフローチャートを示し、図４にＬＣＤ表示部の表示例を示す。
図３のフローチャートを参照して他の実施の形態について説明する。
他の実施の形態では、ドライブモードが選択されていない状態でも、携帯電話機１００の高速移動時にはＴＶ映像を表示しない例について説明する。
ＴＶ視聴が開始されると（図３、ステップ３０１）、制御部１０６は高速／低速移動の判定を行なう。
【００２４】
移動速度検出機能（１０６ａ、１０６）により低速移動が検出された場合は（ステップ３０２の分岐で『低速』）、通常通りのＴＶ放送受信となる（ステップ３０３）。
ステップ３０２で高速移動が検出された場合には（ステップ３０２の分岐で『高速』）、ＴＶ映像をＯＦＦして音声のみとし（ステップ３０４）、同時にユーザに対して高速移動が検出された旨と高速移動中にＴＶ映像を表示するか否かの選択を促す（ステップ３０５、図４のＬＣＤ表示例参照）。
【００２５】
このとき映像を表示することを選択した場合（ステップ３０６の分岐で『ＹＥＳ』）、ＴＶ映像、音声ともにＯＮとして通常通りのＴＶ視聴とする（ステップ３０３）。
映像を表示しないことを選択した場合（ステップ３０６の分岐で『ＮＯ』）、ＴＶ映像はＯＦＦのままで音声のみのＴＶ放送となる（ステップ３０７）。
【００２６】
尚、ステップ３０５でユーザが選択操作を行なわないときは、ＴＶ映像はＯＦＦを維持し、音声のみの放送とするようにしてもよい。
また、移動速度から車両運転中（走行中）であることを判別し、ＴＶ映像を表示しない制御を行なうようにしてもよく、高速移動中においてＴＶ映像を停止させる際、ユーザが任意で映像表示の有無を選択できるようにしてもよい。
【００２７】
（効果の説明）
この発明による効果は、車両運転中（走行中）におけるＴＶ視聴の制限を行なうことで運転に専念することができる点である。
車両運転中におけるＴＶ視聴時は映像を表示させないことで、ＴＶ映像に気を取られることなく運転に専念することが可能となる。
また、走行中におけるＴＶ放送受信は映像が不安定になることが予想される。特にＴＶ受信機能付き携帯電話のようなポータブルテレビではその傾向が激しいと考えられる。この場合に、チューニングや、電源ＯＦＦ等の操作を走行中に行なおうとすると、非常に困難である。走行中はＴＶ映像を表示しないことで、このような困難な操作を行なう必要がなくなる。
【図面の簡単な説明】
【００２８】
【図１】図１に本発明のＴＶ受信機能付き携帯電話機のＴＶ視聴制御方法を適用したＴＶ受信機能付き携帯電話機の一実施の形態を示すブロック図を示す。
【図２】図１に示したＴＶ受信機能付き携帯電話機のＴＶ視聴開始から終了までの動作を示すフローチャートである。
【図３】本発明に係るＴＶ受信機能付き携帯電話機の他の実施の形態を示すフローチャートである。
【図４】ＬＣＤ表示部の表示例を示す図である。
【符号の説明】
【００２９】
１００    ＴＶ受信機能付き携帯電話機
１０１    携帯電話用アンテナ部
１０２    携帯電話無線部
１０３    ＴＶ受信用アンテナ部
１０４    ＴＶチューナ部
１０５    ＬＣＤ表示部
１０６    制御部
１０７    ユーザインターフェイス部
１０８    音声出力部
【図１】
2005094136.tif 000003
【図２】
2005094136.tif 000004
【図３】
2005094136.tif 000005
【図４】
2005094136.tif 000006